(57)【要約】【課題】  竿管本体の内側に釣糸ガイドを突出配設させても竿管強度の低下の小さい中通し釣竿を提供する。【解決手段】  合成樹脂をマトリックスとし、強化繊維で強化した竿管本体の内側に釣糸ガイドを突出配設させる中通し釣竿であって、前記竿管本体２０が、強化繊維が主として軸長方向に指向した厚さの厚い中間層２０Ｂと、この外側に配設され、強化繊維が主として円周方向に指向した薄肉の外側層２０Ａと、内側に配設され、強化繊維が主として円周方向に指向した薄肉の内側層２０Ｃとを有し、該内側層の更に内側に、強化繊維が主として軸長方向に指向した薄肉の軸長方向層２０Ｄを具備するよう構成する。【選択図】        図４
2005318899.tif 000002
【特許請求の範囲】
【請求項１】
合成樹脂をマトリックスとし、強化繊維で強化した竿管本体の内側に釣糸ガイドを突出配設させる中通し釣竿であって、
前記竿管本体が、強化繊維が主として軸長方向に指向した厚さの厚い中間層と、この外側に配設され、強化繊維が主として円周方向に指向した薄肉の外側層と、内側に配設され、強化繊維が主として円周方向に指向した薄肉の内側層とを有し、該内側層の更に内側に、強化繊維が主として軸長方向に指向した薄肉の軸長方向層を具備する
ことを特徴とする中通し釣竿。
【請求項２】
前記薄肉の軸長方向層の更に内側に、強化繊維が主として円周方向に指向した薄肉の層を具備する請求項１記載の中通し釣竿。
【請求項３】
前記釣糸ガイドとして、多数の繊維を束ねたものに合成樹脂を含浸させた釣糸ガイド素体が使用され、頂部が曲面状であって概ねおむすび形状の横断面形状を成し、該おむすびの底辺両隅の角度が３０度〜６０度の範囲内である請求項１又は２記載の中通し釣竿。
【請求項４】
前記釣糸ガイドとして、頂部が曲面状の概ねおむすび形状の横断面形状を成し、該おむすびの両側辺を延長したラインと、前記曲面状頂部に接しておむすびの底辺に平行に引いたラインとの交点間の距離が０．１ｍｍ以上、０．４ｍｍ未満である請求項１又は２記載の中通し釣竿。
【請求項５】
前記釣糸ガイドのピッチ間に、これらの釣糸ガイドよりも高さが低くて合成樹脂からなる凸部を具備する請求項１〜４の何れか１記載の中通し釣竿。
【発明の詳細な説明】
【技術分野】
【０００１】
本発明は、竿管本体の内側に釣糸ガイドを突出配設させた中通し釣竿に関する。
【背景技術】
【０００２】
中通し釣竿では、内部に釣糸を挿通させるため釣糸抵抗の低減が問題となり、このため釣糸を案内する個別の環状や螺旋状に連続した釣糸ガイドを竿管内面に突出して設ける工夫がなされている。
【発明の開示】
【発明が解決しようとする課題】
【０００３】
然しながら、内側に釣糸ガイドを設ける製造方法上、成形時の加圧作用によって釣糸ガイド素体が竿管本体層内に埋没することやその他の問題で、釣竿の撓んだ際に竿管本体の強度低下を招いたり、竿管本体側に応力集中が生じてそこから破損したり、また、釣糸ガイドに耐久性が乏しかったりする問題が有る。また、釣糸ガイドを設けるにしても、釣糸接触部の形状や大きさを適切に設定しなければ釣糸抵抗の低減効果を大きくできない。
【０００４】
依って本発明は、竿管本体の内側に釣糸ガイドを突出配設させても竿管強度の低下の小さい中通し釣竿の提供と、該中通し釣竿に形成された釣糸ガイドの耐久性や糸案内性の高い中通し釣竿の提供を目的とする。
【課題を解決するための手段】
【０００５】
上記目的に鑑みて本発明は請求項１において、合成樹脂をマトリックスとし、強化繊維で強化した竿管本体の内側に釣糸ガイドを突出配設させる中通し釣竿であって、前記竿管本体が、強化繊維が主として軸長方向に指向した厚さの厚い中間層と、この外側に配設され、強化繊維が主として円周方向に指向した薄肉の外側層と、内側に配設され、強化繊維が主として円周方向に指向した薄肉の内側層とを有し、該内側層の更に内側に、強化繊維が主として軸長方向に指向した薄肉の軸長方向層を具備することを特徴とする中通し釣竿を提供する。
【０００６】
また、請求項２において、請求項１の薄肉の軸長方向層の更に内側に、強化繊維が主として円周方向に指向した薄肉の層を具備するよう構成する。
また、請求項３において、請求項１又は２の釣糸ガイドとして、多数の繊維を束ねたものに合成樹脂を含浸させた釣糸ガイド素体が使用され、頂部が曲面状の概ねおむすび形状の横断面形状を成し、該おむすびの底辺両隅の角度が３０度〜６０度の範囲内であるよう構成する。好ましくは３５度〜５５度の範囲内である。おむすび形状とは、３角形の角部を丸めた状態の形状をいう。
【０００７】
また、請求項４において、請求項１又は２の釣糸ガイドとして、頂部が曲面状の概ねおむすび形状の横断面形状を成し、該おむすびの両側辺を延長したラインと、前記曲面状頂部に接しておむすびの底辺に平行に引いたラインとの交点間の距離が０．１ｍｍ以上、０．４ｍｍ未満であるよう構成する。
また、請求項５において、請求項１〜４の釣糸ガイドのピッチ間に、これらの釣糸ガイドよりも高さが低くて合成樹脂からなる凸部を具備する。
【発明の効果】
【０００８】
請求項１では、厚肉中間層の内側の薄肉内側層と、更にその内側の薄肉軸長方向層とが互いに交差するため、釣糸ガイドを内面側に配設する際に、その釣糸ガイドが竿管本体内に埋没することを防止でき、これにより、特に強化繊維が主として軸長方向に指向した厚さの厚い中間層の強化繊維の蛇行を防止できて竿管強度の低下を防止できる。
【０００９】
請求項２では、薄肉軸長方向層と、この内側の円周方向指向の薄肉層とが釣糸ガイドの埋没防止作用を奏する。
請求項３では、請求項１又は２の作用効果の他に以下の作用効果が追加される。おむすび形状の底辺両隅角度が小さ過ぎる場合は、加圧成形した場合の釣糸ガイド素体の変形広がりは底辺両隅部にまでは達し難く、樹脂が流入するにしてもこの領域に充填する程充分な量は流れ難く、樹脂不足が生じた裾野となる。また、底辺両隅角度が大き過ぎる場合、即ち、頂角が小さ過ぎる場合は、加圧成形した場合の釣糸ガイド素体の変形広がりは頂部にまでは達し難く、樹脂が流入するにしてもこの頂部領域には殆ど釣糸ガイド素体から流入するだけであるため、充填する程充分には流れず、樹脂不足が生じた頂部となる。従って底辺両隅角度が３０度〜６０度の範囲内であれば繊維や樹脂の不足領域の発生を防止でき、釣糸ガイドの耐久性や糸案内性が高いと共に、底辺両隅角度の小さな場合の裾野の繊維や樹脂不足による竿管本体への応力集中も、角度の大きな場合の竿管本体への応力集中も共に防止され、竿管本体の強度が保持される中通し釣竿となる。
上記の両隅角度範囲の他に、外形状がおむすび形状であるため、頂部が広過ぎず、糸抵抗が低減できる。
【００１０】
請求項４では、請求項１又は２の作用効果の他に以下の作用効果が追加される。交点間の距離が０．１ｍｍ以上、０．４ｍｍ未満であることは、釣糸の接触する頂部が尖り過ぎず、広過ぎず、糸案内性（釣糸損傷防止や糸抵抗低減）のために丁度よいことであり、０．１ｍｍ未満では尖り過ぎて釣糸が切れ易いと共に釣糸ガイドの摩損が大きく、０．４ｍｍ以上では接触長さが長過ぎて糸抵抗が増大する。
請求項５では、上記各請求項の作用効果の他に、高さの低い凸部の存在により、釣糸が直接に竿管内面に接触することが防止できる。
【発明を実施するための最良の形態】
【００１１】
以下本発明を添付図面に示す実施の形態例に基づき、更に詳細に説明する。
図１は釣糸ガイドを有する中通し釣竿の製造方法を説明するための図であり、芯金（芯材）１０の上に通常使用する離型剤を塗布し、更には、エポキシ樹脂等の樹脂を塗布して、この上からフッ素材等の耐熱性の厚肉テープ１２を適宜な隙間を設けながら巻回する。塗布された樹脂の接着作用によって厚肉テープは芯金１０の上で巻回状態が安定する。この厚肉テープ１２はその断面形状が台形状（寸法例として上底、下底、高さは、夫々０．４ｍｍ，１．２ｍｍ，０．４ｍｍ）になるように両側縁を図示の如く傾斜面１２Ｋに形成しており、隣接したテープ間隙間の形状も台形状になっている。この台形隙間の上底長さＢは０．１〜０．４ｍｍ程度がよい。
【００１２】
テーパを有する芯金１０に対してピッチを一定にして巻回すれば、径の大きな元側ではテープの方向はより円周方向に近く、径の小さな先側では、より長手方向に近くなる。この台形状隙間の両側の厚肉テープの上面にまで亘る幅を有し、ポリプロピレン等の薄肉テープ１４を前記台形状隙間内に垂れるように巻回敷設し、その後、予め準備しておいた釣糸ガイド素体１６を薄肉テープ１４の上から台形状隙間の中に巻回配設する。
【００１３】
その後は、竿管本体用プリプレグを巻回し、緊締テープ等によって加圧しつつ加熱成形する。この緊締テープの方向は、上記テープ間隙間に螺旋状に巻回した釣糸ガイド素体１６の巻回方向に対して交差する方向（例えば、右巻に対して左巻き）に巻回すると、成形竿管内での釣糸ガイドの高さが均一化し易い。成形後には芯金１０を抜き取り、厚肉テープ１２を除去し、一般には、薄肉テープ１４も除去するが、これは残す場合も有る。
【００１４】
厚肉テープ間の台形状隙間内に侵入した薄肉テープ１４と厚肉テープ１２の高さである破線Ｌ１とによって囲まれた面積が釣糸ガイド素体１６を受け入れることの可能な断面面積であり、これは釣糸ガイド素体１６の横断面積と同程度に形成する。前者の面積を１００とすれば釣糸ガイド素体１６の横断面積を７０〜１１０程度にする。薄肉テープ１４はその巻回時張力を大きくすれば、厚肉テープ間の台形状隙間内に多く侵入でき、小さな張力では少ししか侵入できない。これによって釣糸ガイド素体１６を受け入れることの可能な断面面積を調節可能である。
【００１５】
釣糸ガイド素体１６は炭素繊維等の繊維を数千本程度の多数本引き揃えて、これに撚りを掛け、これにエポキシ樹脂等を含浸させて形成する。３千本程度の束の場合は、１ｍ当り８０〜１２０回程度撚ると横断面が円形に近くなり易い。これ以上だと張力を掛けておかないと絡み合い、これ以下だと撚りにむらが生じてさばけ、テープ間の隙間に入り難くなる。６千本程度の束の場合は、１ｍ当り６０回程度の撚りがよい。即ち、釣糸ガイド素体１６の径の大小で撚りの程度を変えるとよい。もし撚りを設けない場合は、孔に通して扱くようにすれば、テープ間の隙間に入り易くなる。何れにしても繊維方向は、ほぼ釣糸ガイドの長手方向に沿っている。
【００１６】
釣糸ガイド素体の合成樹脂の含浸量は２５〜５０ｗｔ％にする。２５ｗｔ％より少なくては樹脂量が少なくなり過ぎて気泡が発生し易く、釣糸案内表面が粗面化する。また、相対的に繊維量が多いため、釣糸ガイド素体が重くなり、ひいては釣竿が重くなる。５０ｗｔ％を越えれば樹脂量が多過ぎて繊維が流され、釣糸ガイド素体の形が崩れ易い他、繊維量が不足して耐摩耗性が劣る。竿管本体形成プリプレグの樹脂比率が３０ｗｔ％以上の場合は、釣糸ガイド素体の合成樹脂含浸量は２５〜４０ｗｔ％が好ましく、竿管本体形成プリプレグの樹脂比率が３０ｗｔ％未満の場合は、釣糸ガイド素体の合成樹脂含浸量は３５〜５０ｗｔ％が好ましい。これは釣糸ガイド素体から釣糸ガイドを成形する際に、竿管本体形成プリプレグからの樹脂流入を含め、厚肉テープ間隙間内で樹脂流れが不足しないようにするためである。
【００１７】
こうして形成された釣糸ガイドＧを図３に示す。２０は竿管本体の層である。テープ間隙間を釣糸ガイド素体１６の横断面積と同程度に形成していると共に、釣糸ガイド素体は繊維の束に撚りを設けて形成しているためばらけ難く、加熱成形時に釣糸ガイド素体１６の繊維が流動し難く、巻回後に緊締テープ等によって加圧されて芯金１０の方に押付けられ、樹脂の含浸された繊維束ＧＳのまま殆どそのままの位置に在り、本体プリプレグとの接触側（ガイドＧの裾野側）の小さな隙間には釣糸ガイド素体の合成樹脂が流動し易くてガイドＧの裾野ＧＪを形成するが、釣糸との接触面となるガイドＧの頂部付近は繊維が多くを占め、耐久性が向上する。また、既述のように、薄肉テープとラインＬ１との成す隙間は釣糸ガイド素体の大きさ程度であるため、本体層用のプリプレグの強化繊維が芯金方向へ流動することが防止され、本体層に蛇行が生じ難く、高強度な竿管が形成できる。
【００１８】
釣糸ガイド間には、図３に示すような高さの低い凸部ＳＧが形成されることがあるが、これは、テーパ付の芯金１０に柔らかい厚手のフッ素テープに張力を付与して巻回しているため、フッ素テープは均等には伸びず、厚肉テープ１２の上面部１８が窪んで形成されるものと考えられるが、この存在は釣糸が直接に竿管内面に接触することを防止する。釣糸ガイドＧのピッチＰは高さＨの５０倍より大きくし、好ましくは１００倍よりも大きくするとよい。釣糸を放出する場合は釣竿は軽く撓む程度であり、上記ピッチＰでも釣糸は釣糸ガイドで受けられ、釣糸抵抗が大きくならず、飛距離が伸び、また正確な位置に投擲できる。また、仕掛けに掛った魚を巻き上げる場合のように釣竿が大きく撓む際には、ピッチＰが大きければ、竿管本体層の内面で釣糸の大部分を直接に受けることになり、例え釣糸ガイドＧが柔らかな合成樹脂部材で形成されていても、これの摩耗を防止できる。
【００１９】
釣糸ガイドＧの表面硬度を、使用する釣糸の硬度と同じ程度にすると互いに摩耗し難いのでよい。即ち、合成樹脂性釣糸に対し、同程度の硬度の合成樹脂材で釣糸ガイド全体を形成したり、表面部のみを形成したりである。また、釣糸と同一又は同種の材料で形成すると相互に傷がつき難く、好ましい。例えば、ポリアミド系の合成樹脂釣糸を使用する場合を想定しては、釣糸ガイドにポリアミド被膜を形成したり、ガイド全体をそれで形成したりである。何れかをやや硬い硬度にする場合は、釣糸ガイドの方をやや硬い硬度とすることが、釣糸よりも釣竿の耐久性を保持する意味で望ましい。また、釣糸ガイド表面を鏡面状に形成すれば釣糸抵抗の低減に寄与できる他、釣糸の摩損を防止できる。このためには、例えば熱可塑性樹脂の被膜を釣糸ガイドの表面に一体化させたり、釣糸ガイド頂部近くに設けた小さな孔部に硬質部材等を埋め込んだ後に研摩したり、加熱成形後に釣糸ガイドの表面を研摩したりする。
【００２０】
スピニングリールとの関係から、螺旋状釣糸ガイドの螺旋方向が、釣糸がスピニングリールから放出された際の糸癖の旋回方向に対して逆方向であると、釣糸が釣糸ガイドによって充分に受けられ、糸抵抗低減から好ましい。
釣竿の穂先部では、釣糸ガイドの高さは０．２ｍｍ以下にする場合もある。これは内径を大きくして釣糸の挿通空間を大きく確保したり、釣糸ガイドの存在による穂先竿管本体に作用する応力集中を低減するためである。
【００２１】
釣竿の細径部（先部）では、釣糸ガイドの高さを高く形成できないため、釣糸ガイドと竿管内面とを共に撥水性に形成して水滴を付着させないようにし、糸抵抗を低減することが好ましく、大径部（元側部）は釣糸ガイドの高さを高く形成できるため、実際に高く形成した場合には、釣糸ガイド頂部の近くは撥水性に形成して水滴を竿管内面方向に流し、一方、竿管内面は１０ミクロン以上の凹凸の粗面や親水性の面に形成して受けた水滴を吸い込むようにして消滅させたり薄く広げたりすることにより、挿通する釣糸が水滴と接触することを防止して糸抵抗を低減させる。
【００２２】
穂先部は水滴が侵入し易いため、釣糸がその水滴に接触しないようにするためには釣糸ガイドの高さを可級的に高く設定することが好ましく、逆に、元側は水滴が侵入し難く、従って、釣糸ガイドの高さは低くてもよい。このため穂先部の釣糸ガイド高さを０．４〜０．５ｍｍ程度にし、元側（中竿）のそれを０．１〜０．４ｍｍ程度にしてもよい。例えば、穂先竿では０．４ｍｍ、中竿では０．２ｍｍとする。
【００２３】
釣糸ガイドの高さを１つの竿管内でほぼ同じにする。この条件で以下の態様がある。
イ）竿管の先側の本体層を釣糸ガイド高さよりも薄くし、元側を厚くすると、竿管の撓み性を向上させつつ糸抵抗が低減でき、また、大きな力の作用する元側本体層が厚肉であるため、釣糸ガイドに起因する応力集中に対しても高強度で耐久性がある。これは対象魚を中小の魚とする磯竿等に適する。
ロ）１本の竿管内では本体層の肉厚を釣糸ガイドの高さよりも薄肉にすると撓み易い竿管となり、軟調子の釣竿に適する。
ハ）１本の竿管内では本体層の肉厚を釣糸ガイドの高さよりも厚肉にすると丈夫な竿管となり、大物魚を対象魚とする磯竿や、船竿、ボート竿等に適する。
【００２４】
螺旋状釣糸ガイドは、竿管の円周方向を角度基準のゼロ度とすれば６０度程度まで傾斜（リード角が６０度程度）させられる。穂先側は元側よりもリード角を大きくとれば、それだけ水滴が外に排出され易く好ましい。従って、穂先竿ではリード角を４５〜６０度程度に設定することが好ましい。５０度を超えて６０度程度までに形成させると更に好ましい。
【００２５】
以上の説明で、薄肉テープ１４は幅の広い薄肉シート部材でもよい。また、これら薄肉テープや薄肉シートに撥水性等の性質を付与し、加熱成形によって釣糸ガイドＧや竿管本体層２０の内面に接合する程度の耐熱度であれば、既述のように除去することなく残すとよい。一般には熱可塑性樹脂テープ等に撥水性を付与するのがよい。また、厚肉テープ間の隙間ではなく、厚肉テープや厚肉シートの外側面に所望断面形状の溝を形成したものを使用し、ここに釣糸ガイド素体１６を巻回配設してもよい。この場合の溝の断面形状を曲面状にすれば、薄肉テープ１４や薄肉シートを使用しなくても、成形された釣糸ガイドの釣糸案内面には角が生じない。
図２は厚肉テープ１２’の断面が台形ではなく矩形の場合であり、このように本願の方法では厚肉テープの形状に特別な制約は無いが、後述のように、より耐久性の高い釣糸ガイドを有し、竿管本体の強度を保持する釣竿を製造するには、特定の台形状が良い。
【００２６】
図４は釣糸ガイドＧと竿管本体層２０との境界に特徴を有する構造についての形態例を示す。竿管本体層２０の構造の典型例は、強化繊維が主として軸長方向に指向した厚さの厚い中間層２０Ｂと、この外側に配設され、強化繊維が主として円周方向に指向した薄肉の外側層２０Ａと、内側に配設され、強化繊維が主として円周方向に指向した薄肉の内側層２０Ｃとで構成されている。本形態例ではこの内側層２０Ｃの更に内側に、強化繊維が主として軸長方向に指向した同様な薄肉の軸長方向層２０Ｄを配設しており、層２０Ｃと層２０Ｄとの強化繊維同士が直交方向に交差していることにより、釣糸ガイド素体を竿管本体層の内側に突出配設する成形時の加圧作用による釣糸ガイド素体の竿管本体層内への埋没を防止できる。このことは、竿管本体層２０の、特に層２０Ｂの強化繊維が蛇行して竿管強度が低下することを防止する。交差は必ずしも直交方向でなくて、斜交状態でもよい。
【００２７】
図５は上記と同様な作用の竿管本体層の構造形態例である。２０Ａ，２０Ｂ，２０Ｃ，２０Ｄは上記と同様であり、更に内側に、強化繊維が主として円周方向に指向した同様な薄肉の内側層２０Ｅと、強化繊維が主として軸長方向に指向した同様な薄肉の軸長方向層２０Ｆとを配設しており、直交方向に交差する強化繊維層の組が２組配設された構造である。図４の構造に比べて埋没防止の効果が強化される。その他の変形形態例として、層２０Ｆが無くてもよく、この場合は、層２０Ｄと層２０Ｅとが埋没防止組と考えられる。各層厚の例としては、層２０Ａ，２０Ｂ，２０Ｃ，２０Ｄ，２０Ｅ，２０Ｆの順に、０．０５ｍｍ，０．４ｍｍ，０．０３ｍｍ，０．０３ｍｍ，０．０３ｍｍ，０．０３ｍｍである。各層の厚さ範囲は一般に、層２０Ａは０．０１〜０．１（好ましくは０．０１〜０．０５）ｍｍ、層２０Ｂは０．０８〜１ｍｍ、残りの各層はいずれも０．０１〜０．０５（好ましくは０．０１〜０．０３）ｍｍである。
【００２８】
図６には、芯金１０に厚肉テープ１２を巻回し、その隙間に亘って配設する薄肉テープ等は図示を省略しており、隙間に巻装された釣糸ガイド素体と、その上に巻装された竿管本体用プリプレグとが加圧加熱成形された後の状態の断面を図示している。芯金１０に巻回された厚肉テープ１２の形状寸法が、既述の例の通り、上底、下底、高さが夫々０．４ｍｍ，１．２ｍｍ，０．４ｍｍの左右対称な台形の場合、下底両隅の角度θは４５度であり、こうして現実に成形されるおむすび状釣糸ガイドＧの裾野角度も概ね同じ角度θとなる。但し、この寸法例は１例に過ぎない。図７に示すように、この角度θが小さな場合は、成形時の加圧によってもテープ間隙間の裾野領域ＳＰには撚りを掛けた釣糸ガイド素体１６の変形は広がり難い。従って、この領域ＳＰに繊維や樹脂の不足が生じる。また、この角度θが大きな場合を図８に図示するが、この場合では、加圧によってもテープ間隙間の頂部領域ＳＰ’には撚りを掛けた釣糸ガイド素体１６の変形は広がり難い。従って、この領域ＳＰ’に繊維や樹脂の不足が生じる。
【００２９】
こうした繊維や樹脂の不足領域は耐久性が弱く、釣糸ガイドＧの頂部の場合は釣糸案内性も劣り、また裾野の場合はここに応力集中が生じ、竿管本体２０の強度が低下する。角度θが大きな場合には、その成形釣糸ガイドの裾野部が竿管本体２０に対して応力集中を生じせしめ、同様に竿管本体２０の強度が低下する。従って、角度θには適切な範囲があり、３０度〜６０度の範囲内であれば釣糸ガイドＧの耐久性も竿管本体２０の強度も保持できる。
【００３０】
次に、おむすび状釣糸ガイドＧの頂部は外に凸な曲面形状であるが、図６に示す台形状厚肉テープ１２間の隙間間隔Ｂを小さくし過ぎれば、釣糸ガイドＧの頂部が尖り過ぎて釣糸が切れ易く、また釣糸ガイドＧの摩損が大きく、間隔Ｂを大きくし過ぎれば釣糸の接触長さが長過ぎて糸抵抗が増大する。従って、間隔Ｂには適切な範囲があり、０．１ｍｍ以上、０．４ｍｍ未満がよい。この釣糸ガイドＧの頂部の幅を代表する寸法Ｂを釣糸ガイドＧから測るには、釣糸ガイドの頂点Ｔを通り、竿管本体２０の長手方向に平行なライン（図６では点Ｐ４とＰ１を通るライン）と、おむすび状釣糸ガイドＧの両側面の延長ライン（図では点Ｐ３とＰ４を結んだライン、点Ｐ２と点Ｐ１を結んだライン）との交点Ｐ４，Ｐ１間の距離である。
【００３１】
図６では釣糸ガイドＧの形成にテープ１２を使用した例を示したが、このテープに代って、横断面形状が釣糸ガイド断面形状である溝を形成した厚肉シートを使用し、この溝に釣糸ガイド素体を巻装する方法でもよい。この場合、溝の側壁面は必ずしも平面ではなく、緩い曲面であっても、側壁面の幅方向中央位置付近の接平面を、図６の点Ｐ１とＰ２を結ぶラインや点Ｐ３とＰ４を結ぶラインに相当する仮想平面（仮想ライン）として考えれば、後は図６のテープの場合と同様である。
【００３２】
竿管本体２０の内部に釣糸ガイドＧを形成した場合、竿管本体が図９（ａ）のようにストレートであれば、その長手方向強化繊維がストレートなため竿管の強度上最も良いが、既述のように実際の釣糸ガイドの製造では、フッ素テープのような軟質なテープを使用して、該テープに張力を付与しつつ芯金に巻回すると、テープ中央部が縁部に比べて窪み、その結果、竿管本体２０は図９（ｂ）のようになり、釣糸ガイドＧ間の竿管本体部は、ｔ２部位（中央部位）が厚く、ｔ１部位（端部部位）が薄くなる。両者の差Δｔは一般にｔ２の１／１０程度以下であり、実寸では０．０２ｍｍ程度である。ｔ１部位は釣糸ガイドＧの存在によって応力集中を生ずるが、ｔ１部位もｔ２部位も繊維量が概ね同じであるためｔ１部位では薄肉となる分だけ繊維比率が高くなり、その分前記応力集中に対抗でき、竿管強度を保持できる。
【００３３】
また、竿管本体２０が（ｃ）のようになれば、釣糸ガイドＧの存在による釣糸ガイド元部の応力集中は（ｂ）の場合よりは緩和され、更には、釣糸ガイドの元部（ｔ１’部位）はｔ２’部位よりも厚肉であるため、釣糸ガイドの存在による釣糸ガイド元部の応力集中に充分対抗でき、結果として竿管本体２０の強度を保持できる。
【産業上の利用可能性】
【００３４】
本発明は、中通し釣竿に利用できる。
【図面の簡単な説明】
【００３５】
【図１】図１は中通し釣竿の製造方法の説明用部分断面図である。
【図２】図２は他の製造形態例の説明図である。
【図３】図３は図１の方法によって形成された釣糸ガイド図である。
【図４】図４は本発明に係る中通し釣竿の部分縦断面図である。
【図５】図５は本発明に係る他の中通し釣竿の部分縦断面図である。
【図６】図６は本発明に係る釣竿とその製造方法の説明図である。
【図７】図７は本発明に係る釣竿とその製造方法に対比させた説明図である。
【図８】図８は本発明に係る釣竿とその製造方法に対比させた説明図である。
【図９】図９は図１や図６の方法によって形成された釣竿の部分縦断面図である。
【符号の説明】
【００３６】
１０            芯材
１２            厚肉テープ
１４            薄肉テープ
１６            釣糸ガイド素体
２０            竿管本体
Ｇ              釣糸ガイド
【図１】
2005318899.tif 000003
【図２】
2005318899.tif 000004
【図３】
2005318899.tif 000005
【図４】
2005318899.tif 000006
【図５】
2005318899.tif 000007
【図６】
2005318899.tif 000008
【図７】
2005318899.tif 000009
【図８】
2005318899.tif 000010
【図９】
2005318899.tif 000011